(57)【特許請求の範囲】
【請求項１】
軸方向に糸通路が形成された中空ガイド軸体と、該中空ガイド軸体の先端部に旋回流を作用させる旋回流発生ノズルとにより構成される紡績部を備え、ドラフトされて紡績部に導入された繊維束を、中空ガイド軸体の先端部において、上記繊維束と共に紡績部に供給されたコア繊維の周囲に巻き付けつつコアヤーンを製造するコアヤーン製造装置において、
糸切れ時あるいは紡績開始時、上記旋回流発生ノズルによる旋回流と逆方向の旋回流を発生させて上記中空ガイド軸体の入口から糸通路内部に向かって吸引力を発生させ、上記コア繊維と上記繊維束を吸引して上記糸通路を挿通させて自動的に糸出しを行い、糸出し後に停止する吸引力発生手段と、
紡績部に対してコア繊維を供給するコア繊維供給装置と、
旋回流発生ノズル、吸引力発生手段及びコア繊維供給装置の作動・非作動を制御すべく、糸切れ時あるいは紡績開始時、上記旋回流発生ノズルと上記吸引力発生手段とをＯＮにし、上記紡績部に上記繊維束を供給した後、上記紡績部に上記コア繊維を供給して上記コアヤーンの糸出しを行うための制御装置と
を備えたことを特徴とするコアヤーン製造装置。
【請求項２】
上記吸引力発生手段は、上記中空ガイド軸体の糸通路に圧空を噴射する圧空噴射ノズルである請求項１記載のコアヤーン製造装置。
【請求項３】
上記旋回流発生ノズルは、制御装置からの信号によりその噴射圧が高低切り替え自在である請求項１又は２記載のコアヤーン製造装置。
【請求項４】
軸方向に糸通路が形成された中空ガイド軸体と、該中空ガイド軸体の先端部に旋回流を作用させる旋回流発生ノズルとにより構成される紡績部を備え、ドラフトされて紡績部に導入された繊維束を、中空ガイド軸体の先端部において、上記繊維束と共に紡績部に供給されたコア繊維の周囲に巻き付けつつコアヤーンを製造するコアヤーン製造方法において、
旋回流発生ノズルの作動、その旋回流発生ノズルによる旋回流と逆方向の旋回流を発生させる吸引力発生手段による上記中空ガイド軸体の入口から糸通路内部に向かう吸引力の発生、紡績部に対するコア繊維の供給及び紡績部に対する繊維束の供給を適宜のタイミングで開始すべく、
糸切れ時あるいは紡績開始時、上記旋回流発生ノズルと上記吸引力発生手段とをＯＮにし、上記紡績部に上記繊維束を供給した後、上記紡績部に上記コア繊維を供給して紡績部の糸排出口からコアヤーンの糸出しを行い、糸出し後に上記吸引力発生手段を停止することを特徴とするコアヤーン製造方法。
【請求項５】
上記旋回流発生ノズルは、コアヤーンの糸出しを行う際、最初は低圧噴射を行い、コアヤーンが中空ガイド軸体の糸通路を通過して紡績部の糸排出口から排出された後に高圧噴射に切替えられる請求項４記載のコアヤーン製造方法。
【発明の詳細な説明】
【０００１】
【発明の属する技術分野】
本発明は、中空ガイド軸体及びその先端部に作用する旋回流により実撚り状のコアヤーンを製造するコアヤーン製造装置及びコアヤーン製造方法に係り、特に、自動的な糸出しができるコアヤーン製造装置及びコアヤーン製造方法に関するものである。
【０００２】
【従来の技術】
中空ガイド軸体及びその先端部に作用する旋回流により製造した実撚り状のコアヤーンは、例えば、ポリエステル等の合成繊維であるマルチフィラメント糸をコア繊維とし、そのコア繊維の周囲に、綿等の繊維束を巻き付けたものであり、表面からコア繊維がほとんど見えず、コア繊維が中心部に集中しているものである。
【０００３】
このような実撚り状のコアヤーンは、リング精紡機を使用して製造したコアヤーンに比べて、コア繊維の太さを５０％以上にできる、トルク（糸が軸方向に縮む度合い）が小さいという優れた特徴がある。
【０００４】
なお、リング精紡機を使用して製造したコアヤーンは、巻き取りボビンの周囲で糸を旋回させながら撚りを加えることにより実撚り状のコアヤーンとなるが、表面からコア繊維が見え、コア繊維が周辺部にも存在している。
【０００５】
そこで、コア繊維とドラフトされた繊維束とが供給される空気式紡績部を備え、実撚り状のコアヤーンを製造するコアヤーン製造装置が知られている。
【０００６】
この紡績部は、軸方向に糸通路が形成された中空ガイド軸体と、該中空ガイド軸体の先端部に旋回流を作用させる旋回流発生ノズルとにより構成される。
【０００７】
このコアヤーン製造装置は、ドラフトされて紡績部に導入された繊維束を、中空ガイド軸体の先端部において、上記繊維束と共に紡績部に供給されたコア繊維の周囲に巻き付けつつコアヤーンを製造するものである。
【０００８】
【発明が解決しようとする課題】
しかしながら、このような中空ガイド軸体及びその先端部に作用する旋回流を用いる方式のコアヤーン製造装置では、コア繊維の自動供給も含めて、コアヤーンの自動的な糸出しは考慮されていなかった。
【０００９】
コアヤーン製造装置は、繊維束が糸通路に引き込まれることにより、その繊維束から分離して反転している繊維がコア繊維の周囲に巻き付いて実撚り状のコアヤーンを形成するという原理上、通常の紡績時と同じ作動状態で、自動的な糸出しを行おうとしても、旋回流発生ノズルの旋回流だけでは、中空ガイド軸体の糸通路に繊維束を引き込む力は発生しないため、糸として紡績部の糸排出口から排出することは不可能である。
【００１０】
そこで、本発明の目的は、実撚り状のコアヤーンの自動的な糸出しができるコアヤーン製造装置及びコアヤーン製造方法を提供することにある。
【００１１】
【課題を解決するための手段】
本発明は、上記目的を達成するために創案されたものであり、請求項１の発明は、軸方向に糸通路が形成された中空ガイド軸体と、該中空ガイド軸体の先端部に旋回流を作用させる旋回流発生ノズルとにより構成される紡績部を備え、ドラフトされて紡績部に導入された繊維束を、中空ガイド軸体の先端部において、上記繊維束と共に紡績部に供給されたコア繊維の周囲に巻き付けつつコアヤーンを製造するコアヤーン製造装置において、
糸切れ時あるいは紡績開始時、上記旋回流発生ノズルによる旋回流と逆方向の旋回流を発生させて上記中空ガイド軸体の入口から糸通路内部に向かって吸引力を発生させ、上記コア繊維と上記繊維束を吸引して上記糸通路を挿通させて自動的に糸出しを行い、糸出し後に停止する吸引力発生手段と、
紡績部に対してコア繊維を供給するコア繊維供給装置と、
旋回流発生ノズル、吸引力発生手段及びコア繊維供給装置の作動・非作動を制御すべく、糸切れ時あるいは紡績開始時、上記旋回流発生ノズルと上記吸引力発生手段とをＯＮにし、上記紡績部に上記繊維束を供給した後、上記紡績部に上記コア繊維を供給して上記コアヤーンの糸出しを行うための制御装置と
を備えたコアヤーン製造装置である。
【００１２】
上記構成によれば、糸通路の糸入口から糸通路内部に向かう強い吸引力を発生させてコア繊維と繊維束を糸入口に引き込むことができ、糸通路を挿通させて糸排出口からコアヤーンの自動的な糸出しが行える。
【００１３】
請求項２の発明は、上記吸引力発生手段は、上記中空ガイド軸体の糸通路に圧空を噴射する圧空噴射ノズルである請求項１記載のコアヤーン製造装置である。この構成によれば、簡単な構造で中空ガイド軸体入口に強い吸引力を発生させることができる。
【００１４】
請求項３の発明は、上記旋回流発生ノズルは、制御装置からの信号によりその噴射圧が高低切り替え自在である請求項１又は２記載のコアヤーン製造装置である。これにより、中空ガイド軸体入口付近で、旋回流発生ノズルの旋回流により振り回されるコア繊維と繊維束の旋回力を小さくして糸出し成功率を向上させることができる。
【００１５】
請求項４の発明は、軸方向に糸通路が形成された中空ガイド軸体と、該中空ガイド軸体の先端部に旋回流を作用させる旋回流発生ノズルとにより構成される紡績部を備え、ドラフトされて紡績部に導入された繊維束を、中空ガイド軸体の先端部において、上記繊維束と共に紡績部に供給されたコア繊維の周囲に巻き付けつつコアヤーンを製造するコアヤーン製造方法において、
旋回流発生ノズルの作動、その旋回流発生ノズルによる旋回流と逆方向の旋回流を発生させる吸引力発生手段による上記中空ガイド軸体の入口から糸通路内部に向かう吸引力の発生、紡績部に対するコア繊維の供給及び紡績部に対する繊維束の供給を適宜のタイミングで開始すべく、
糸切れ時あるいは紡績開始時、上記旋回流発生ノズルと上記吸引力発生手段とをＯＮにし、上記紡績部に上記繊維束を供給した後、上記紡績部に上記コア繊維を供給して紡績部の糸排出口からコアヤーンの糸出しを行い、糸出し後に上記吸引力発生手段を停止するコアヤーン製造方法である。
【００１６】
上記構成によれば、糸通路の糸入口から糸通路内部に向かう強い吸引力を発生させてコア繊維と繊維束を糸入口に引き込むことができ、糸通路を挿通させて糸排出口からコアヤーンの自動的な糸出しが行える。
【００１７】
請求項５の発明は、上記旋回流発生ノズルは、コアヤーンの糸出しを行う際、最初は低圧噴射を行い、コアヤーンが中空ガイド軸体の糸通路を通過して紡績部の糸排出口から排出された後に高圧噴射に切替えられる請求項４記載のコアヤーン製造方法である。
【００１８】
この構成によれば、中空ガイド軸体入口付近でコア繊維と繊維束をふりまわす旋回力が小さくなり、吸引力発生手段による吸引力がより有効に作用するので、コア繊維と繊維束の糸通路への供糸成功率が上がり、糸通路からの糸出しの成功率も向上させることができる。
【００１９】
【発明の実施の形態】
以下に、本発明の好適実施の形態を添付図面にしたがって説明する。
【００２０】
まず、全体構成を図６で説明する。
【００２１】
図６は、本発明のコアヤーン製造装置の全体構成を示す概略図である。
【００２２】
図６に示すように、コアヤーン製造装置１は、スライバーＳを所定の太さの繊維束Ｆにドラフトするドラフト装置２と、コア繊維Ｃを供給するコア繊維供給装置３と、コア繊維Ｃとドラフトされた繊維束Ｆが供給される紡績部４と、紡績部４から排出される実撚り状のコアヤーンＹを巻き取ってパッケージＰにする巻き取り部５とを備えており、これらを１ユニットとして構成されている。
【００２３】
実撚り状のコアヤーンＹは、例えば、ポリエステル等の合成繊維であるマルチフィラメント糸をコア繊維とし、そのコア繊維の周囲に、綿等の繊維束を巻き付けたものである。
【００２４】
巻き取り部５は、上流側の紡績部４から排出されるコアヤーンＹを下流側に送り出すデリベリローラー６とニップローラー７、糸継ぎの際にコアヤーンＹを吸い込んで糸を確保するためのスラックチューブ８、コアヤーンＹの太さを検出し、所望の太さのコアヤーンＹが通過しない場合はコアヤーンＹを切断するヤーンクリアラー９などを備えている。
【００２５】
コアヤーン製造装置１は、通常、並列（図では紙面に垂直方向）に複数台並べた多ユニットとして用いられる。各ユニットの巻き取り部５の背面には、１台の糸継ぎ装置１０が走行可能に設けられている。糸継ぎ装置１０は、移動自在なサクションノズル１１、糸継部１２、移動自在なサクションマウス４１などを備えている。
【００２６】
この糸継ぎ装置１０は、あるユニットで糸切れが発生した際、指定されたユニットの背面まで走行して停止し、紡出側糸吸引補足装置であるサクションノズル１１の先端が紡績部４の糸排出口まで移動して紡績部４から排出されるコアヤーンＹを吸引した後、サクションノズル１１を移動してコアヤーンＹを糸継部１２に導入し、糸継部１２において、サクションマウス４１によりパッケージＰから引き出されたコアヤーンＹと糸継ぎするものである。
【００２７】
糸継部１２は、機械式に糸結びを行うノッター又は旋回空気流を使って糸を撚り継ぎするスプライサーを使用できる。
【００２８】
さて、図１は、本発明の好適実施の形態であるコアヤーン製造装置の主要部の概略図を示したものである。
【００２９】
図１に示すように、コアヤーン製造装置１の主要部は、ドラフト装置２、コア繊維供給装置３、紡績部４を備えている。
【００３０】
本発明のコアヤーン製造装置１は、軸方向に糸通路が形成された中空ガイド軸体１４と、中空ガイド軸体１４の先端部に旋回流を作用させる旋回流発生ノズル１３とにより構成される紡績部４を備え、ドラフトされて紡績部４に導入された繊維束Ｆを、中空ガイド軸体１４の先端部において、繊維束Ｆと共に紡績部４に供給されたコア繊維Ｃの周囲に巻き付けつつコアヤーンを製造するものであり、中空ガイド軸体１４の入口から糸通路内部に向かって吸引力を発生させる吸引力発生手段１５と、紡績部４に対してコア繊維Ｃを供給するコア繊維供給装置３と、旋回流発生ノズル１３、吸引力発生手段１５及びコア繊維供給装置３の作動・非作動を制御する制御装置とを備えたものである。
【００３１】
本発明のコアヤーン製造装置１は、旋回流発生ノズル１３の旋回流により、コア繊維Ｃも少々ばらけ、繊維束Ｆの繊維が、コア繊維Ｃの隙間に食い込むと共にコア繊維Ｃの周囲に巻き付くことで、しごきにたいへん強い実撚り状のコアヤーンを製造することができる。
【００３２】
ドラフト装置２は、トランペット１６を介して供給されるスライバーＳを、上流側より、バックローラー１７、サードローラー１８、エプロンベルトが掛けられたセカンドローラー１９、フロントローラー２０の順で所定の太さの繊維束Ｆにドラフトするものである。
【００３３】
コア繊維供給装置３は、ドラフト装置２の上部側方に配置され、例えば、上流側のボビンＢから解舒されたコア繊維Ｃに所定張力を与えるテンサー２１と、テンサー２１を経由したコア繊維Ｃを吸引して下流側に送り出すエアサッカー２２と、コア繊維Ｃを切断・把持するクランプカッター２３とを備えている。
【００３４】
本実施の形態においては、テンサー２１とエアサッカー２２間に、コア繊維Ｃの有無を検知するフィーラー２４を設けている。フィーラー２４は、コア繊維Ｃが何らかの原因で切断したとき制御装置に信号を送り、その信号を受けた制御装置がコアヤーン製造装置１の運転を停止させるようにするものである。
【００３５】
このコア繊維供給装置３は、ボビンＢから解舒されたコア繊維Ｃを、上流側より、テンサー２１、フィーラー２４、エアサッカー２２、導糸管２５、クランプカッター２３、先端導糸管２６、漏斗状ガイド２７の順で下流側に送り出し、紡績部４に供給するものである。
【００３６】
本実施の形態においては、例えば、漏斗状ガイド２７をフロントローラー２０上流側に配置している。よってコア繊維Ｃは、フロントローラー２０上流側から繊維束Ｆと共に紡績部４に供給されるようになっている。
【００３７】
次に、紡績部４を説明する。
【００３８】
図２は、本発明における紡績部４の断面図を示したものである。
【００３９】
図２に示すように、紡績部４は、旋回流発生ノズル（紡績ノズル）１３と、先端部が旋回流発生ノズル１３内に挿入される中空ガイド軸体１４とからなり、旋回流発生ノズル１３の先端（繊維束導入口）がフロントローラー２０の下流側出口近傍となるように配置している。
【００４０】
旋回流発生ノズル１３は、全体が略円筒状に形成されたノズル本体２８からなる。その先端には、入口キャップ２９が若干突出するように取り付けられている。入口キャップ２９の軸方向には、フロントローラー２０から供給されるコア繊維Ｃと繊維束Ｆとを受け入れる通路３０が形成され、通路３０の出口付近にコア繊維Ｃと繊維束Ｆとの広がりを絞るブッシュ３１が設けられている。
【００４１】
ノズル本体２８の上流側には、周方向に空気を流すための環状流路３２を形成しており、この環状流路３２から径方向に空気を導き、ブッシュ３１の下流側に空気を噴射するためのノズル孔３３を複数形成している。各ノズル孔３３は、上流側から下流側にかけて若干傾斜するようにノズル本体２８内に形成されている。一方、ノズル本体２８の下流側には、ノズル孔３３から噴射された空気を外部へ逃がす空間部３４を形成している。
【００４２】
旋回流発生ノズル１３は、例えば、環状流路３２に空気供給装置を接続し、その噴射圧が高低切り替え自在となるようにして中空ガイド軸体１４の先端近傍に旋回流を発生させるようにしている。
【００４３】
中空ガイド軸体１４は、先端部が若干細くなるようにして全体を略棒状に形成しており、その軸方向に断面が略円形状の糸通路３５を貫通するように形成している。糸通路３５は、上流側糸通路３５ｕ、中流側糸通路３５ｍ、下流側糸通路３５ｄからなり、その断面積が上流側から下流側にしたがって大きくなるようにしている。
【００４４】
この中空ガイド軸体１４は、その先端部がノズル本体２８と若干の隙間ｇを形成するように、かつ、糸通路３５の糸入口３６がノズル孔３３の出口のすぐ下流側となるようにして旋回流発生ノズル１３内に挿入されている。
【００４５】
本発明は、中空ガイド軸体１４の排出口からコア繊維Ｃと繊維束Ｆとを自動的に糸出しするべく、中空ガイド軸体１４の糸通路３５の先端側入口から内部に向かう吸引力を発生させる吸引力発生手段１５を設けたものである。この吸引力発生手段１５としては、例えば、糸通路３５内に圧空を噴射する圧空噴射ノズル３８（糸出しノズル）を用いている。圧空噴射ノズル３８により中空ガイド軸体１４内の糸通路３５に吸引流を発生させることにより、コア繊維Ｃと繊維束Ｆとを糸通路３５内に吸引し、実撚り状のコアヤーンとして糸通路３５を挿通させて糸通路３５の糸排出口４０から糸出しを行うことができる。
【００４６】
圧空噴射ノズル３８としては、旋回流発生ノズル１３による旋回流と逆方向の旋回流を糸通路３５内に発生させるノズルを使用するとよい。その場合、逆方向の旋回流による結束紡績原理を使って糸出しができる。
【００４７】
本発明では、旋回流発生ノズル１３の作動、中空ガイド軸体１４の糸入口３６から糸通路３５内部に向かう吸引力の発生、紡績部４に対するコア繊維Ｃの供給及び紡績部４に対する繊維束Ｆの供給を適宜のタイミングで開始して紡績部４の糸排出口４０からコアヤーンＹの糸出しを行うようにしている。
【００４８】
旋回流発生ノズル１３は、ノズル孔３３から噴射される空気の噴射圧が高低切り替え自在であり、コアヤーンＹの糸出しを行う際、作動開始後所定時間が経過するまで低圧噴射を行い、その後高圧噴射に切替えられるようにしている。より具体的に言えば、コアヤーンＹの糸出しを行う際、最初は低圧噴射している旋回流発生ノズル１３は、コア繊維Ｃ及び繊維束Ｆの供給開始後、中空ガイド軸体１４の糸通路３５を通過したコアヤーンＹが糸排出口４０から排出された後に高圧噴射に切替えられるようにしている。
【００４９】
中空ガイド軸体１４の後端には、例えば、圧空供給装置３９を接続しており、中空ガイド軸体１４内には、圧空供給装置３９から供給された圧空を流すための円筒状の圧空流路３７を、中流側糸通路３５ｍから下流側糸通路３５ｄに沿って形成している。この圧空流路３７は、内径が糸通路３５より大きく、外径が中空ガイド軸体１４より小さくなるようにしている。
【００５０】
糸通路３５は、上流側から下流側になるにしたがって断面積が大きくなるように形成されている。このため、圧空噴射ノズル３８から糸通路３５に噴射された圧空は、糸通路３５に旋回流を発生させながら中流側糸通路３５ｍから下流側糸通路３５ｄへと流れ、糸排出口４０から排出される。一方、ノズル孔３３から噴射された空気は、糸入口３６付近に旋回流を発生させた後、隙間ｇを流れてノズル本体２８と中空ガイド軸体１４の支持部との間に形成された空間部３４から外部へ排出される。
【００５１】
本発明では、糸通路３５の糸入口３６から糸通路３５内部に向かう強い吸引力を発生させており、コア繊維Ｃと繊維束Ｆとを糸入口３６から引き込むことができ、旋回流発生ノズル１３と中空ガイド軸体１４とによる通常時の紡績動作と協働して、実撚り状のコアヤーンを糸通路３５を挿通させてサクションノズル１１によって引き出し可能な形態で糸排出口４０から自動的に糸出しをすることができる。
【００５２】
図３は、図２に示した紡績部４のＡ−Ａ線断面図を示したものである。
【００５３】
図３に示すように、圧空噴射ノズル３８は、中空ガイド軸体１４内の糸通路３５の接線方向に沿って複数形成され、上流側の圧空流路３７と糸通路３５とを結ぶようにしている。圧空噴射ノズル３８は、圧空流路３７を流れる圧空を導き、その圧空を糸通路３５に噴射し、例えば、旋回流発生ノズル１３による旋回流とは逆方向の旋回流を発生させるようになっている。
【００５４】
次に、図７で制御装置と各部との接続関係を説明する。
【００５５】
図７は、本発明に係る制御装置と各部との接続関係のブロック図を示したものである。
【００５６】
図７に示すように、制御装置７０と旋回流発生ノズル１３との間には、それぞれ独立して開閉可能な高圧供給弁７１と低圧供給弁７２とが接続されている。高圧供給弁７１及び低圧供給弁７２は、図示しない圧空源に圧力調整器を介して接続されており、制御装置７０からの高圧供給信号ａ又は低圧供給信号ｂにより、旋回流発生ノズル１３に高圧エアＨＡ又は低圧エアＬＡを供給する。従って、制御装置７０からの供給信号を切り替えることにより、旋回流発生ノズル１３の噴射圧を高低切り替え自在となるようにしている。
【００５７】
制御装置７０と圧空噴射ノズル（糸出しノズル）３８との間には切換弁７３が接続されており、中空ガイド軸体１４の糸通路３５に吸引力を発生させる際、制御装置７０からの吸引力発生信号ｃにより、糸出しノズル３８にエアＡを供給する。
【００５８】
同様に、制御装置７０とエアサッカー２２との間にも切換弁７４が接続されており、ドラフト装置２（フロントローラー２０上流側）にコア繊維Ｃを供給する際、制御装置７０からのコア繊維供給信号ｄにより、エアサッカー２２にエアＡを供給してコア繊維Ｃに送り力を作用させる。
【００５９】
また、制御装置７０は、バックローラー１７及びサードローラー１８の駆動を切り替えるためのクラッチ７５と接続されており、ドラフト装置２内で停止していた繊維束Ｆを紡績部４に供給する際、制御装置７０からの繊維束供給信号ｅにより、クラッチ７５を接続して、停止していたドラフトローラー（バックローラー１７及びサードローラー１８）を再駆動させるようにしている。
【００６０】
制御装置７０は、クランプカッター２３とも接続されており、コア繊維Ｃの供給を停止する際、制御装置７０からの糸切断把持信号ｆにより、クランプカッター２３を作動させて、供給中のコア繊維Ｃを切断して把持するようにしている。再度コア繊維Ｃを供給する際には、上述したように、エアサッカー２２を作動させると共に、制御装置７０からの糸切断把持信号ｆを解除してクランプカッター２３による把持を開放する。
【００６１】
このように、制御装置７０からの各信号ａ〜ｆにより、吸引力発生手段１５としての糸出しノズル３８、エアサッカー２２及びクランプカッター２３（コア繊維供給装置３）、旋回流発生ノズル１３、バックローラー１７及びサードローラー１８（ドラフト装置２）等の各動作を制御するようにしている。
【００６２】
次に、本発明の作用を説明する。
【００６３】
図５は、図２に示した紡績部４の拡大断面図を示したものである。
【００６４】
図５に示すように、通常運転時、コア繊維Ｃは、テンサー２１を経てフロントローラー２０上流側から紡績部４に供給され、糸通路３５を通ってデリベリーローラー６によって引き出されている。
【００６５】
一方、ドラフト装置２でドラフトされた繊維束Ｆは、旋回流発生ノズル１３の旋回流（図では右向き）により、紡績部４の通路３０に導入される。繊維束Ｆの繊維の先端は、コア繊維Ｃに引かれて中空ガイド軸体１４の糸入口３６から糸通路３５内部へと導かれる。繊維束Ｆの繊維の後端は、紡績部４の入口のフロントローラ２０による拘束がなくなると、旋回流発生ノズル１３の旋回流の軸方向分力が作用して中空ガイド軸体１４の先端部外周に巻き付くように、糸入口３６から反転すると共に繊維束Ｆの繊維の先端が糸通路３５に引き込まれることにより、コア繊維Ｃの周囲に巻き付いて、表面にコア繊維Ｃが露出していない実撚り状のコアヤーンＹとなる。
【００６６】
この実撚り状のコアヤーンＹは、糸通路３５から排出され、ニップローラー７及びデリベリーローラー６より成る糸送り部を経て、巻き取り部５で巻き取られてパッケージＰとなる。このような通常紡績時には、吸引力発生手段１５としての圧力噴射ノズル３８から圧空は噴射されていない。
【００６７】
糸切れ時は、バックローラー１７及びサードローラー１８の停止によりスライバーＳの供給が停止すると同時に、コア繊維供給装置３内のカッタークランプ２３が作動してコア繊維Ｃを切断し、切断されたコア繊維Ｃの先端を把持する。糸継ぎ装置１０が当該ユニットに到着して糸継ぎ準備が完了すると紡績が再開される。
【００６８】
紡績再開時には、ドラフト装置２の停止していたローラーが再駆動して繊維束Ｆが紡績部４に供給される。このバックローラー１７及びサードローラー１８の再駆動に合わせ、コア繊維供給装置３のエアサッカー２２により、フロントローラー２０の上流側からドラフト装置２内にコア繊維Ｃの供給が開始される。これは紡績開始時においても同様である。
【００６９】
ドラフト装置２のフロントローラー２０を通過して紡績部４に供給されたコア繊維Ｃと繊維束Ｆとは、通常紡績時と同様にして繊維束Ｆの繊維がコア繊維Ｃの周囲に巻き付いて実撚り状のコアヤーンＹとなる。
【００７０】
このとき、本発明では、吸引力発生手段１５としての圧空噴射ノズル３８から圧空が噴射される。圧空噴射ノズル３８の作動は、旋回流発生ノズル１３の作動と略同時に行う。
【００７１】
糸通路３５は、上流側から下流側になるにしたがって断面積が大きくなるように形成されている。このため、圧空噴射ノズル３８から糸通路３５に噴射された圧空は、糸通路３５内を下流側に向かって流れ、糸排出口４０から排出される。一方、ノズル孔３３から噴射された空気は、糸入口３６付近に旋回流を発生させた後、隙間ｇを流れて空間部３４から外部へ排出される。
【００７２】
本発明では、紡績開始時（糸出し時）に、糸通路３５の糸入口３６から糸通路３５内部に向かう強い吸引力を発生させてコア繊維Ｃと繊維束Ｆとを糸入口３６に引き込むことができ、糸通路３５を挿通させて糸排出口４０からコアヤーンＹを自動的に糸出しすることができる。
【００７３】
圧空噴射ノズル３８として、上述したように、紡績ノズル１３による旋回流と逆方向の旋回流を発生させるノズルを使用した場合、圧空噴射ノズル３８が作動している間、紡績部４からは結束紡績糸状のコアヤーンｙが排出される。サクションノズル１１によりコアヤーンｙを引き出して、デリベリーローラー６によるフィード力を備えた後は、即ち紡績部４内を通過するコアヤーンｙにデリベリーローラー６による引き出し力が作用した後は、吸引力発生手段１５としての圧空噴射ノズル３８の作動を停止して通常紡績に切り換える。圧空噴射ノズル３８の影響が作用しない通常紡績に切り替わると、紡績部４からは結束紡績糸状ではなく実撚り状のコアヤーンＹが排出される。糸継ぎ装置１０による糸継ぎ動作において、サクションノズル１１に吸引された結束紡績糸状のコアヤーンｙは全て除去されるので、圧空噴射ノズル３８の作動を停止した後に排出される実撚り状のコアヤーンＹと巻取りパッケージＰ側から引き出された実撚り状のコアヤーンＹとを糸継部１２において糸継ぎすることで、実撚り状のコアヤーンＹのみを巻き取ったパッケージＰを形成することができる。
【００７４】
図４は、本発明における糸出しの制御タイミングの一例を示した図である。
【００７５】
図４に示すように、紡績開始時刻または糸切れ時刻Ｔ0 のとき、まず、旋回流発生ノズル１３、吸引力発生手段１５、ドラフト装置２のバックローラー１７を略同時にＯＮする。これにより、繊維束Ｆがドラフト装置２から紡績部４に供給されると共に、吸引力により中空ガイド軸体１４の糸通路３５に導入される。
【００７６】
このとき、旋回流発生ノズル１３の噴射圧ＰL は、通常紡績の紡績圧ＰH より低くなるようにする。旋回流発生ノズル１３の噴射圧Ｐは、繊維束Ｆの供給を開始してから所定時間ΔＴ経過後、時刻Ｔ1 のとき、通常紡績の紡績圧ＰH に切り替える。
【００７７】
コア繊維供給装置３は、旋回流発生ノズル１３が噴射圧ＰL で作動している時刻Ｔ0 からＴ1 の間となる時刻ＴC に駆動開始され、コア繊維Ｃをフロントローラー２０上流側より繊維束Ｆに重なるように供給する。
【００７９】
吸引力発生手段１５は、時刻Ｔ1 から所定時間経過した時刻Ｔ2 （紡績部４から排出されるコアヤーンｙがデリベリーローラー６によりフィード力をそなえたとき）以降の時刻Ｔ3 にＯＦＦされる。
【００８０】
このように、紡績部４に対するコア繊維Ｃの供給開始時に旋回流発生ノズル１３を通常紡績時より低圧にすることで、中空ガイド軸体１４の入口付近でコア繊維Ｃをふりまわす旋回力が小さくなるため、吸引力発生手段１５による吸引力がより有効に作用する。これにより、中空ガイド軸体１４の糸通路３５にコア繊維Ｃを確実に取り込むことができ、コア繊維Ｃの糸通路３５への供糸成功率が上がり、糸通路３５からの糸出しの成功率も向上させることができる。これは、ドラフトされた繊維束Ｆについても同様である。
【００８２】
本発明における吸引力発生手段１５は、上述のように、簡単な構造で中空ガイド軸体１４入口に強い吸引力を発生させることができる。
【００８３】
なお、本実施の形態においては、繊維束Ｆの中心部にコア繊維Ｃが位置し、旋回流によってフロントローラー２０まで撚りが伝播するのを阻止できるので、繊維束Ｆを構成する多くの繊維が巻き付き繊維となる実撚り状のコアヤーンＹを製造できるので、旋回流発生ノズル１３の先端部に中空ガイド軸体１４の入口に対向するような針（ニードル）を設けない例で説明した。即ち、コア繊維Ｃが針と同様の作用を果たすため、針を使用することなく実撚り状のコアヤーンＹを製造できる。但し、本発明は、針の有無に関わらず適用可能である。
【００８４】
【発明の効果】
以上説明したことから明らかなように、本発明によれば次のごとき優れた効果を発揮する。
【００８５】
（１）実撚り状のコアヤーンの自動的な糸出しが行える。
【００８６】
（２）簡単な構造で中空ガイド軸体入口に強い吸引力を発生させることができる。
【００８７】
（３）中空ガイド軸体入口付近で、旋回流発生ノズルの旋回流により振り回されるコア繊維と繊維束の旋回力を小さくして糸出し成功率を向上させることができる。
【００８８】
（４）旋回流発生ノズルの旋回流により、コア繊維も少々ばらけ、繊維束の繊維が、コア繊維の隙間に食い込むと共にコア繊維の周囲に巻き付くことで、しごきにたいへん強い実撚り状のコアヤーンを製造することができる。
【図面の簡単な説明】
【図１】本発明の好適実施の形態を示す概略図である。
【図２】本発明における紡績部の断面図である。
【図３】図２に示した紡績部のＡ−Ａ線断面図である。
【図４】本発明における糸出しの制御タイミングの一例を示す図である。
【図５】図２に示した紡績部の拡大断面図である。
【図６】本発明の全体構成を示す概略図である。
【図７】本発明に係る制御装置と各部との接続関係を示すブロック図である。
【符号の説明】
１  コアヤーン製造装置
４  紡績部
１３  旋回流発生ノズル
１４  中空ガイド軸体
１５  吸引力発生手段
Ｆ  繊維束
Ｃ  コア繊維
Ｙ  コアヤーン
【図１】
0004062869.tif 000002
【図２】
0004062869.tif 000003
【図３】
0004062869.tif 000004
【図４】
0004062869.tif 000005
【図５】
0004062869.tif 000006
【図６】
0004062869.tif 000007
【図７】
0004062869.tif 000008